(57)【要約】      （修正有）【課題】水中において水素を発生させ、簡易的に水素水の生成が可能な簡易型水素水生成器を提供する。【解決手段】本体部に連結される内部電極部Ａ５が設けられ、任意の水量に対し電極部を留置し、水素水生成に対し２段階の選択が可能であり、且つ、電気回路による電源増幅を行い、短時間での水素水の生成を可能とした簡易型水素水生成器であって、本体部から上部へ向け接続される内部電極を保護する本体キャップ部Ａ２を分離可能な構造とし、本体部下部に連結された内部電極部Ａ５、その下方本体部表面中央部には、電池残量、電極交換、水素発生、水素水容量表示を行う液晶表示部Ａ３を設け、液晶表示部Ａ３下方に２段階の生成が可能な生成スイッチ部Ａ４、本体下部に内部電気回路基盤を内臓し、本体下部裏面には電池挿入部Ａ６を備えた。【選択図】図２
0003199998.tif 000002
【実用新案登録請求の範囲】
【請求項１】
本体部に連結される内部電極部が設けられ、任意の水量に対し電極部を留置し、水素水生成に対し２段階の選択が可能であり、且つ、電気回路による電源増幅を行い、短時間での水素水の生成を可能とした簡易型水素水生成器であって、本体部、本体キャップ部が分離可能な構造とし、本体部に連結された電極部、液晶表示部、生成スイッチ部、内部電気回路基盤、電池挿入部を備えた、携帯可能な簡易型水素水生成器。
【請求項２】
本体部に連結される内部電極部は電源による通電が行われた際、通電された電極側が陰極、通電が行われない電極側が陽極となり、生成水量に応じた生成スイッチの選択により電極の切り替えが可能な機能を備えたことを特徴とする請求項１記載の簡易型水素水生成器。
【請求項３】
水中における水素水生成に使用する金属電極である陽極電極および陰極電極の並行に対峙する相対距離の一部を縮めることにより、水中における水素発生量を増加させる機能を備えたことを特徴とする請求項１記載の簡易型水素水生成器。
【考案の詳細な説明】
【技術分野】
【０００１】  本考案は、水中において水素を発生させ、簡易的に水素水の生成が可能である、簡易型水素水生成器に関するものである。
【背景技術】
【０００２】  水素水は近年、各飲料メーカーにおいて、アルミパックやアルミボトルに封入されたもの、ペットボトルに封入されたもの、又、水中において水素を発生させる錠剤や、棒状の水素発生素材を用い水素水を生成するもの、ポット内に電極を固定し水素水を生成させるものなどがある。【０００３】  水素水は、一定濃度の水素水摂取を行うと、一般的に活性酸素を中和させ、健康増進につながるとの臨床結果や研究機関での実験結果が発表され、水素水を封入したものや、水素水を生成可能な上述のような各種商品が市場に多く出回っている。
【先行技術文献】
【特許文献】
【０００４】
【特許文献１】  特開２００９−２２９２７号公報
【特許文献２】  特開２００４−３４４７８３号公報
【考案の概要】
【考案が解決しようとする課題】
【０００５】  上述の通り、水素水は水素水自体を封入し商品化されたもの、水素水を生成する為の素材を用いた商品があるが、従来商品は、主に一般店舗での販売は行われず、通信販売による販売方法が取られている場合が多く、その為、定期的な購入も必要であり購入者は常に継続的に購入し、また追加補充も必要となり、ポット式や据え置き型生成器は、持ち運びや移動が困難であり、固定場所での使用用途となる。【０００６】  水素は透過性が高く、水中において各種容器に封入しても、時間の経過と共に水素濃度が低下していく特徴があり、上述の水素水自体を容器封入した商品は、生成した水素水自体をアルミパックやアルミボトル、ペットボトルなど容器に封入する為、工場製造充填時の水素濃度が保たれず消費者に届き、飲用時に減衰している難点がある。又、当然工場での保存期間、消費者の保存期間により、水素濃度は減衰される。現在、水素透過を防止する素材や方法が研究されているが、完全に水素透過を防止できる素材開発には至っていない。【０００７】  一方、上述の水素水を生成する為の錠剤や棒状、ポット式の商品は、その場にて水素水を生成させる事ができ、飲用可能なため、時間の経過による水素濃度減衰は防止でき、容器封入された水素水商品と比較して、ポット式以外は携帯が可能であり、移動先での水素水の生成が可能である。しかし、従来商品は水素水生成に時間を要する事、又、水素濃度が低く、一般的に効果を得ると言われている、水素濃度を満たさない商品も多くある。【０００８】  本考案は、場所を選ばず簡易的に水素水を生成し、且つ一定水素濃度を保持しながら短時間での水素水生成を可能とした、簡易型水素水生成器を提供する事を目的とする。
【課題を解決するための手段】
【０００９】  本考案である態様の簡易型水素生成器は、場所を選ばず水素水を生成するための装置であり、例えばコップやペットボトルなどに生成器本体容器内に連結された、電極部を留置し、水素水を生成する。生成器本体は、一体を成すが、本体カバー部、本体キャップは分離可能な構造とし、電極部を露出させることが可能であり、生成器本体下部に、内部電気回路基盤部を内蔵し、生成器本体最下部裏面に電池収納部を設け、生成器本体下部表面に液晶表示部、原水容量において選択可能な生成スイッチ部を有する。【００１０】  簡易型水素水生成器は、電気回路を変更することにより、水素水生成量や水素水生成時間の増減が可能となる。
【考案の効果】
【００１１】  本考案によれば、簡易的に短時間で一定濃度の水素水を生成することができる。
【図面の簡単な説明】
【００１２】
【図１】本考案の実施の形態の簡易型水素水生成器の斜視図である。
【図２】本考案の実施の形態の簡易型水素水生成器の展開斜視図である。
【図３】本考案の実施の形態の簡易型水素水生成器の電極部図である。
【図４】本考案の実施の形態の簡易型水素水生成器の液晶表示部図である。
【図５】本考案の実施の形態の簡易型水素水生成器の水素水生成使用図である。
【考案を実施するための形態】
【００１３】  以下に、本考案の実施の形態について、図面を参照して説明する。本考案に係る簡易型水素水生成器は、水素水生成場所を選ばす、簡易的に短時間で一定濃度の水素水を生成が可能な装置であって、図１は、実施の形態における簡易型水素水生成器の斜視図である。
生成器本体カバー部Ａ１と生成器本体キャップ部Ａ２が連結され、生成器本体表面部に液晶表示部Ａ３と生成スイッチ部Ａ４を有する。
【００１４】  図２は、本考案の実施の形態の簡易型水素水発生器の展開斜視図であり、生成器本体カバー部Ａ１と生成器本体キャップ部Ａ２が分離され、生成器本体表面部に液晶表示部Ａ３と生成スイッチ部Ａ４を有し、生成器本体カバー部Ａ１に連結され露出された電極部Ａ５があり、生成器本体カバー部裏面には、単三電池挿入部Ａ６と電池カバー部Ａ７がある。
【００１５】  図３は、本考案の実施の形態の簡易型水素水生成器の電極部図であり、電極部Ａ５は水中にて電気分解を行い水素を発生させるため、陽極および陰極の２本の電極から形成され、電極部上部には電極棒固定保護キャップＡ８がある。電極の素材は、マグネシウム電極での生成も可能であるが、水素水生成能力や電極の生成寿命を考慮するとチタンやプラチナ、又はこの複合材料が望ましい。
【００１６】  図４は、本考案の実施の形態の簡易型水素水生成器の液晶表示部図であり、生成器本体カバー部Ａ１上部に埋め込まれる形にて液晶表示部Ａ３がある。液晶表示部には、電池残量表示Ｂ１、電極交換表示Ｂ２、水素発生表示Ｂ３、水素水容量表示Ｂ４、Ｂ５があり、液晶表示部下部には、水素水生成スイッチＢ６、Ｂ７がある。電池残量表示Ｂ１は、電池残量を３段階にて表示、点灯させる機能を持ち、電極交換表示Ｂ２は、１０００回使用時において電極交換を促す点灯を行い、水素水発生表示Ｂ３は、水素水生成スイッチＢ６、Ｂ７の作動後、水素生成を実施している様態を表示し、水素水生成スイッチＢ６は水素水生成量が概ね２００ｍｌから２５０ｍｌの場合、Ｂ７は水素水生成量が概ね４００ｍｌから５００ｍｌに対し使用し、選択が可能となっている。また、液晶表示には実際に生成された水素濃度を表示する機能を持たせることも出来る。
【００１７】  図５は、本考案の実施の形態の簡易型水素水生成器の水素水生成使用図であり、生成器本体カバー部Ａ１より生成器本体キャップ部Ａ２を分離させ、露出された電極部Ａ５を概ね２００ｍｌから２５０ｍｌの水が入っているコップに留置した使用図である。上述の通り、水素水生成量に対して、２種の選択が可能となっている。生成時間は概ね２００ｍｌから２５０ｍｌの場合約３０秒、４００ｍｌから５００ｍｌの場合は約６０秒の生成時間が必要である。
【実施例】
【００１８】  次に、実施の形態の簡易型水素水生成器の使用方法と、簡易型水素水生成器が奏する効果を説明する。【００１９】  実施の形態の簡易型水素水発生器は、例えば携帯および持ち運びが可能であり、一般的に飲用に供する水量を概ね２００ｍｌから５００ｍｌとし、その適宜水量を水素水として生成可能とする装置であり、露出された電極部Ａ５を当該適宜水量を入れた容器に留置し、適宜水量に対し、水素水生成スイッチＢ６、Ｂ７を任意に選択し水素水の生成を行う。上述した通り、携帯可能であることおよび、生成量の選択が可能である。又、電源として用いる、電池はＤＣ１．５Ｖであるが、電気基盤回路内にてＤＣ１３Ｖまで昇圧させ、短時間での一定濃度の水素水生成が可能である。【００２０】  実施の形態の簡易型水素水生成器は、水素発生の原理である、水の電気分解には金属電極による陽極及び陰極が必要であり、対をなす両極間において水素は陰極側での発生が起きるが、一般的に電気分解を行うことにより、陽極から陰極へ僅かながら金属材料が溶出する事になり、除々に陽極電極の寿命が短くなる現象が起きるが、当該電極は両極切り替え可能な各々独立された電極とし、上述にて水素水生成量において生成量の２通りの選択が可能と述べたが、これは水素水生成量に応じ生成スイッチにて選択を行える事である。この生成スイッチにて選択を行った際、水素発生を行う陰極電極の切り替えが行われる事となり、電極の切り替えが可能な構造を有する。【００２１】  水中における電気分解については上述のとおり、金属電極である陽極および陰極電極が必要であるが、一般的な電気分解による水素水生成に使用される両極電極は、陽極電極と陰極電極の相対距離は並行に等間隔にて対峙している。実施の形態の簡易型水素水生成器は、陽極電極と陰極電極間は並行に対峙させているが、両電極間中心部のみ相対距離を縮めることにより、水中における水素発生量を増加させることができる。電気は陽極から陰極へ流れるが、両電極間の相対距離が均一であれば両電極間に流れる電気も均一であるが、上述のとおり、対峙する両電極間の相対距離の一部を縮めることにより縮めた部分への両極電極への電気の流れが増加し、結果、水中における水素発生量が増加する。【００２２】  本考案は上述の実施の形態に限定されるものではなく、実施の形態は本発明の趣旨に基づき種々の変形が可能であり、変形例を本考案の技術的範囲から排除しない。
【産業上の利用可能性】
【００２３】  本考案は、水中において水素を発生させ、簡易的に水素水を生成が可能である、簡易型水素水生成器に関するので産業上の利用可能性を有する。
【符号の説明】
【００２４】Ａ１    生成器本体カバー部
Ａ２    生成器本体キャップ部
Ａ３    液晶表示部
Ａ４    生成スイッチ部
Ａ５    電極部
Ａ６    単三電池挿入部
Ａ７    電池カバー部
Ａ８    電極棒固定保護キャップ
Ｂ１    電池残量表示
Ｂ２    電極交換表示
Ｂ３    水素発生表示
Ｂ４    水素水容量表示
Ｂ５    水素水容量表示
Ｂ６    水素水生成スイッチ
Ｂ７    水素水生成スイッチ
【図１】
0003199998.tif 000003
【図２】
0003199998.tif 000004
【図３】
0003199998.tif 000005
【図４】
0003199998.tif 000006
【図５】
0003199998.tif 000007
【手続補正書】
【提出日】平成27年7月8日(2015.7.8)
【手続補正１】
【補正対象書類名】実用新案登録請求の範囲
【補正対象項目名】全文
【補正方法】変更
【補正の内容】
【実用新案登録請求の範囲】
【請求項１】
本体部に連結される内部電極部が設けられ、任意の水量に対し電極部を留置し、水素水生成に対し２段階の選択が可能であり、且つ、電気回路による電源増幅を行い、短時間での水素水の生成を可能とした簡易型水素水生成器であって、本体部から上部へ向け接続される内部電極を保護する本体キャップ部を分離可能な構造とし、本体部下部に連結された内部電極部、その下方本体部表面中央部には、電池残量、電極交換、水素発生、水素水容量表示を行う液晶表示部を設け、液晶表示部下方に２段階の生成が可能な生成スイッチ部、本体下部に内部電気回路基盤を内臓し、本体下部裏面には電池挿入部を備えた、携帯可能な簡易型水素水生成器。
【請求項２】
本体部に連結される内部電極部は電源による通電が行われた際、通電された電極側が陰極、通電が行われない電極側が陽極となり、生成水量に応じた生成スイッチの選択により電極の切り替えが可能な機能を備えたことを特徴とする請求項１記載の簡易型水素水生成器。
【請求項３】
水中における水素水生成に使用する金属電極である陽極電極および陰極電極の並行に対峙する相対距離の一部を縮めることにより、水中における水素発生量を増加させる機能を備えたことを特徴とする請求項１記載の簡易型水素水生成器。